(57)【特許請求の範囲】
【請求項１】
錠箱３に固定された反転ラッチ用支持枠１０内に設けられたラッチバネ８のバネ力により常に突出方向に付勢された前記反転ラッチ６と、この反転ラッチ６の後方に所定空間を有して前記錠箱に縦方向に固定された電気式駆動源１５と、この電気式駆動源１５の作動杆１７に連結されたアーム状制御部材２０及び該アーム状制御部材２０に制御されかつ前記反転ラッチと係脱する係合部材３０と、錠箱の切欠から前記所定空間内に入り込むと共にプッシュプル式操作バーの操作に基づいて作動する挿入駆動片とを備えた反転ラッチの自動係止解除機構であって、前記アーム状制御部材２０と係合部材３０は前記電気式駆動源の作動杆１７から前記反転ラッチ用支持枠１０に亘って水平方向に延在し、前記係合部材３０の後端部に相当する部位は横軸２７に軸支され、該横軸２７には該係合部材３０を常時反転ラッチ６に係合する方向に付勢する付勢バネ３９が巻装されていることを特徴とする反転ラッチの自動係止解除機構。
【請求項２】
請求項１に於いて、係合部材３０には、錠箱３の内壁３ａを滑動するローラ３６が設けられていることを特徴とする反転ラッチの自動係止解除機構。
【請求項３】
錠箱３に固定された反転ラッチ用支持枠１０内に設けられたラッチバネ８のバネ力により常に突出方向に付勢された前記反転ラッチ６と、この反転ラッチ６の後方に所定空間を有して前記錠箱に縦方向に固定された電気式駆動源１５と、この電気式駆動源１５の作動杆１７に連結されたアーム状制御部材２０Ａ及び該アーム状制御部材２０Ａに制御されかつ前記反転ラッチと係脱する係合部材３０と、錠箱の切欠から前記所定空間内に入り込むと共にプッシュプル式操作バーの操作に基づいて作動する挿入駆動片とを備えた反転ラッチの自動係止解除機構であって、前記アーム状制御部材２０Ａと係合部材３０は前記電気式駆動源の作動杆１７から前記反転ラッチ用支持枠１０に亘って水平方向に延在する一つの作動部材であり、また、該アーム状制御部材２０の後端部２１は前記電気式駆動源の作動杆１７に支軸２６を介して連結され、また、前記係合部材３０の後端部に相当する部位は横軸２７に軸支され、該横軸２７には該係合部材３０を常時反転ラッチ６に係合する方向に付勢する付勢バネ３９が巻装されていることを特徴とする反転ラッチの自動係止解除機構。
【発明の詳細な説明】
【０００１】
【発明の属する技術分野】
本発明はラッチの自動係止解除機構に関し、特にプッシュプル錠に適したラッチの自動係止解除機構に関する。
【０００２】
【従来の技術】
従来から「電気錠」と称される錠前は存在するが、普通一般に電気錠は、本施錠用のデッドボルト（本施錠片）に対する施錠・解除を駆動源（ソレノイド）の駆動力を利用して自動的に行なうものであり、仮施錠用のラッチに対するものではなかった。ラッチに対する係合解除は、普通一般に外部操作バーを操作して行なっている。
【０００３】
その理由は、仮施錠用のラッチに対する係止（ストッパー）状態を解消させるには、外部の手動による操作部材のみで十分であり、殊更電気錠を加味して実施化を図る必要性はないという考え方が風潮であったからである、と言える。
例えば錠箱内にラッチ装置（ラッチユニット）を備えた錠前は、「プッシュプル錠」と称されているが、このプッシュプル錠には、仮施錠用のラッチを常時係止する係止部材を駆動源（ソレノイド）の駆動力を利用して自動的にその係止状態を解消させる構成は含まれていない。
【０００４】
しかしながら、最近、バリアフリー製品の開発が盛んであり、錠前の分野においても、老人、子供などにとっても便利な錠前の出現が期待されている。特にプッシュプル錠に於いては、ラッチと係止部材との係合状態を解消させるために、外部操作バーを「押したり、引いたり」する必要性があるので、このようなプッシュプル錠もバリアフリーの対象商品である、との思想が芽生えてきた。
【０００５】
【発明が解決しようとする課題】
本発明は、以上のようなバリアフリーという時代的思想を背景にし、第１の目的は、プッシュプル錠のようなラッチ装置を備えた錠前に対しも、簡単な機構と合理的手段により、また駆動源の駆動力によって自動的にラッチを係止している係止部材を離脱（係止解除）させることである。第２の目的は、ラッチと係合部材との係合、離脱関係をスムースになさんとするものである。第３の目的は、構成する部品点数を極力少なくすることである。
【０００６】
【課題を解決するための手段】
本発明の反転ラッチの自動係止解除機構は、錠箱３に固定された反転ラッチ用支持枠１０内に設けられたラッチバネ８のバネ力により常に突出方向に付勢された前記反転ラッチ６と、この反転ラッチ６の後方に所定空間を有して前記錠箱に縦方向に固定された電気式駆動源１５と、この電気式駆動源１５の作動杆１７に連結されたアーム状制御部材２０及び該アーム状制御部材２０に制御されかつ前記反転ラッチと係脱する係合部材３０と、錠箱の切欠から前記所定空間内に入り込むと共にプッシュプル式操作バーの操作に基づいて作動する挿入駆動片とを備えた反転ラッチの自動係止解除機構であって、前記アーム状制御部材２０と係合部材３０は前記電気式駆動源の作動杆１７から前記反転ラッチ用支持枠１０に亘って水平方向に延在し、前記係合部材３０の後端部に相当する部位は横軸２７に軸支され、該横軸２７には該係合部材３０を常時反転ラッチ６に係合する方向に付勢する付勢バネ３９が巻装されていることを特徴とする。
【０００７】
また、本発明の反転ラッチの自動係止解除機構は、錠箱３に固定された反転ラッチ用支持枠１０内に設けられたラッチバネ８のバネ力により常に突出方向に付勢された前記反転ラッチ６と、この反転ラッチ６の後方に所定空間を有して前記錠箱に縦方向に固定された電気式駆動源１５と、この電気式駆動源１５の作動杆１７に連結されたアーム状制御部材２０Ａ及び該アーム状制御部材２０Ａに制御されかつ前記反転ラッチと係脱する係合部材３０と、錠箱の切欠から前記所定空間内に入り込むと共にプッシュプル式操作バーの操作に基づいて作動する挿入駆動片とを備えた反転ラッチの自動係止解除機構であって、前記アーム状制御部材２０Ａと係合部材３０は前記電気式駆動源の作動杆１７から前記反転ラッチ用支持枠１０に亘って水平方向に延在する一つの作動部材であり、また、該アーム状制御部材２０の後端部２１は前記電気式駆動源の作動杆１７に支軸２６を介して連結され、また、前記係合部材３０の後端部に相当する部位は横軸２７に軸支され、該横軸２７には該係合部材３０を常時反転ラッチ６に係合する方向に付勢する付勢バネ３９が巻装されていることを特徴とする。
【０００８】
【発明の実施の形態】
図１乃至図７により本発明の一実施例を説明する。１は扉２の自由側端部に取り付けられたプシュプル用電気錠である。したがって、本実施例の操作部材は、後述するように「プッシュプル式操作バー」である。３はラッチ用の窓を有する横長状の錠箱で、この錠箱３は、例えば扉２の自由側端部に形成された錠箱用空洞に収納され、かつ、フロント板４の裏面に固定的に接合する裏板５、図示しない固着具などを介して扉２に固定される。６はフロント板４を基準に進退動するラッチで、ラッチ６は、公知のように戸枠側のストライク７と係合する。ここでのラッチ６は、錠箱３の内部へ多少所要角度まで水平回転しながら後退するもの（「反転ラッチ」と称されている。）を言う。本明細書では、「反転ラッチ」のことを便宜上「ラッチ」とも言う。ラッチ（反転ラッチ）６の形態については特に図示しないが、その一例は、特公平２−５５５９１に開示されている。
【０００９】
ラッチ６の構成について簡単に説明する。６ａはストライク７の開口縁と摺接する垂直状態の衝止面である。６ｂ，６ｂは、ラッチ６の上下面からそれぞれ突出する突起部で、これらの突起６ｂ，６ｂはラッチの回転軸としての機能、後述する係合部材と係合する機能などを有する。６ｃ，６ｃはラッチの後端部で、この後端部６ｃ，６ｃにはラッチバネ８用の収納部が形成されている。なお、本実施例では、説明の便宜上、前記突起６ｂ，６ｂを基準として前側をラッチの先端部、後側をラッチの後端部として説明するが、ラッチの先端部とラッチの後端部とをそれぞれ別体にし、ラッチの後端部をラッチに連動するスライダー部材にしても良い。
【００１０】
次に１０は、錠箱３内の先端部に固定的に配設された断面コ字型のラッチ用支持枠で、この支持枠の下壁１０ａには、ラッチの進退動方向に切欠部１１が形成されている。１２はラッチ用支持枠１０内に設けられ、かつラッチバネ８の他端部側を収納する小ケースである。次に１５は、錠箱３内の後端部に固定的に配設された電気式駆動源としてのソレノイドである。本実施例では、ソレノイド１５は縦断面垂直の取付け板１６に縦方向に固定され、その作動杆１７の先端部は下方に指向している。１８は作動杆１７に巻装され、かつ作動杆１７を常時伸長方向に付勢するバネである。したがって、作動杆１７はこのバネ１８のバネ力に抗して収縮する。
【００１１】
次に２０，３０は、前記駆動源１５と共にラッチの係止解除機構Ｘを構成するアーム状の制御部材と、この制御部材と係合し、かつ、駆動源１５の駆動力によってラッチ６と係脱する板状の係合部材である。そこで、図２ないし図４を参照にしてこれらの部材（制御部材２０，係合部材３０）の構成を説明する。
なお、例えば図１で示すように、本発明は、錠箱３に固定された反転ラッチ用支持枠１０内に設けられたラッチバネ８のバネ力により常に突出方向に付勢された前記反転ラッチ６と、この反転ラッチ６の後方に所定空間を有して前記錠箱に縦方向に固定された電気式駆動源１５と、この電気式駆動源１５の作動杆１７に連結されたアーム状制御部材２０及び該アーム状制御部材２０に制御されかつ前記反転ラッチと係脱する係合部材３０と、錠箱３の切欠から前記所定空間内に入り込むと共にプッシュプル式操作バーの操作に基づいて作動する挿入駆動片とを備えた反転ラッチの自動係止解除機構であって（前提条件）、前記アーム状制御部材２０と係合部材３０は前記電気式駆動源の作動杆１７から前記反転ラッチ用支持枠１０に亘って水平方向に延在する合計二つの作動部材或いはアーム状制御部材２０Ａと係合部材３０は前記電気式駆動源の作動杆１７から前記反転ラッチ用支持枠１０に亘って水平方向に延在する一つの作動部材である点（図８の実実施例）が特徴事項である。
【００１２】
図３はアーム状制御部材２０の斜視図である。この図３を基準にすると、２１は後端部、２２は後端部から垂直状に延び、かつ軸孔を有する枢支部である。一方、２３は指先状の先端部、２４は先端部寄りの幅広部位に形成された軸孔、２５は指先状先端部２３と後端部２１にそれぞれ連設する下向きコ字状の中間部である。
【００１３】
中間部２５は、錠箱３に形成した切欠から入り込む図示しない操作部材側の挿入駆動片の位置を考慮し、下向きコ字状に形成してある。また、後端部２１と中間部２５との連設部は、任意に折曲形成されている。しかして、アーム状制御部材２０の後端部２１は、駆動源側の枢支軸２６を介して作動杆１７に連結されている。またその先端部２３は、錠箱３に横設軸架した横軸２７に軸支されている。したがって、アーム状制御部材２０は作動杆１７に引っ張られると、横軸２７を支点に回転するので、制御部材２０は、別体の係合部材３０との関係では、制御機能或いはリリース機能を発揮する。
【００１４】
図４は係合部材３０の斜視図である。この図４を基準にすると、左右に対向するアングル状垂直壁３１，３１で、これらの垂直壁３１，３１の中央部には、前述した横軸２７が貫通する軸孔３２が形成されている。これらの垂直壁３１，３１に関連する部材について説明する。本発明はプッシュプル電気錠のラッチユニットとして利用される。電気錠がプッシュプル型の場合には、図示しない垂直操作バー、垂直操作バーに連結された上下一対の連結アーム、連結アームに連結軸を介して取り付けられた駆動アームなどが錠箱３に直接ないし間接的に取り付けられる。
【００１５】
そこで、図１には垂直のプッシュプル式操作バーの操作に基づいて作動する従動係合片３３を含むラッチ装置の幾つかの部材を仮想線で示してある。その中の一つ符合３３は、垂直壁３１，３１の上方に軸支された従動係合片で、この従動係合片３３の下端部には、垂直壁３１，３１の親指状係合部３１ａ，３１ａと係合する押圧壁部３３ａが形成されている。したがって、垂直操作バーの操作力に基づいて従動係合片３３が時計方向に回転すると、係合部材３０は横軸２７を支点に反時計方向に回転する。部材の説明を本発明の特定要件に戻す。
【００１６】
アングル状垂直壁３１，３１の一つには、図１及び図５で示すように、その上辺部から突出し、かつラッチ用支持枠１０の切欠部１１から入り込んでラッチ６の突起部６ｂと係合する係止部３４が設けられている。また、アングル状垂直壁３１，３１の先端部側下辺部には、アーム状制御部材２０の先端部２３の下向き小突起２３ａを受ける水平板状の被係合部３５が設けられている。さらに、本実施例では、ラッチ６と係合部材３０との係合、離脱（係止解除）関係をスムースになさんとする目的で、アングル状垂直壁３１，３１の一つには、錠箱３の内壁３ａを滑動する少なくとも１個のローラ３６が設けられている。ローラ３６は、図４を基準にすると、左側のアングル状垂直壁３１の先端部に直交支板３７並びに支軸３８を介して設けられている（図７参照）。なお、３９は横軸２７に巻装され、かつ係合部材３０を常時ラッチ６に係合する方向に付勢する付勢バネである。
【００１７】
上記構成に於いて、図５は係合部材３０がラッチ６を係止している施錠状態の説明図である。この場合作動杆１７が矢印で示すように下方方向に伸長しているので、外観上、蛇のように延びたアーム状制御部材２０の後端部２１と先端部２３とはバランスを保って略水平状態である。この時、係合部材３０の係止部３４は、支持枠１０の下壁１０ａの内壁面から突出し、ラッチ６に対するストッパー機能を発揮している。それ故に、ラッチ６は後退することができない。
【００１８】
これに対し、図６は係合部材３０がラッチ６から離脱（係止解除）した解錠状態の説明図である。この場合作動杆１７が矢印で示すように上方方向に収縮するので、アーム状制御部材２０は、横軸２７を支点に反時計方向へと回転する。この時係合部材３０のローラ３６は、錠箱３の内壁３ａを滑動する。
その結果、制御部材２０は傾倒し、係合部材３０の係止部３４は、支持枠１０の切欠部１１へと引っ込む。それ故に、ラッチ６はラッチバネ８のバネ力に抗して後退することができる。
【００１９】
【実施例】
この欄では主要部の変形例について説明する。図８は、二物品であるアーム状制御部材２０と係合部材３０とを一体に形成し、一物品にした変形例である。本発明の目的は、極力、部品点数を減らし、簡単な機構と合理的手段によって電気錠の駆動力によって自動的にラッチを係止している部材、すなわち、ラッチの後退動を制御している制御部材２０Ａを離脱（係止解除）させることであるから、係止解除機構を構成する主たる部材をシンプルな構成にしても良い。
【００２０】
しかして、このアーム状制御部材２０Ａは、図３のアーム状制御部材２０とその形態を比較すると明らかなように、アーム状制御部材２０の先端部２３は存在しない反面、中央部２５Ａの下端部が、直接係合部材３０のアングル状垂直壁３１，３１の一つ（右側）に連設している。付言すると、アーム状制御部材２０Ａの中間部２５Ａに一体に連設する前記係合部材３０の後端部に相当する部位が横軸２７に軸支されていると共に、該横軸２７には該アーム状制御部材２０Ａを常時ラッチ６に係合する方向に付勢する付勢バネ３９が巻装されている。
【００２１】
【発明の効果】
以上の説明から明らかなように、本発明にあっては、次に列挙するような効果がある。
（１）プッシュプル錠のようなラッチ装置を備えた錠前に対して、簡単な機構と合理的手段により、また電気式駆動源の駆動力によって自動的にラッチを係止している係止部材を離脱（係止解除）させることができる。
（２）係合部材には、錠箱の内壁を滑動するローラが設けられているので、ラッチと係合部材との係合、離脱関係をスムースに行なうことができる。この場合、例えばラッチが直接ストライクの開口縁に押さえられることにより、アーム状制御部材に間接的に何らかの力（例えばラッチの衝止面と交差する方向の側圧力）がかかっても、制御部材がスムースに離脱（係止解除）の方向へと移動させることができる。
（３）構成する部品点数が少ない。したがって、組み合わせ容易であると共に、安価に製作することができる。
【図面の簡単な説明】
図１乃至図７は本発明の一実施例を示す各説明図。図８は本発明の主要部の変形例を示す説明図。
【図１】実施の形態を示す概略断面説明図。
【図２】制御部材と係合部材の組み合わせ状態を示す斜視図。
【図３】制御部材の斜視図。
【図４】係合部材の斜視図。
【図５】仮施錠状態の説明図。
【図６】係合部材がラッチから離脱した説明図。
【図７】係合部材が係合解除の方向へ移動した場合の説明図。
【図８】制御部材と係合部材とを一体にした説明図。
【符号の説明】
１…電気錠、２…扉、３…錠箱、４…フロント板、６…ラッチ、８…ラッチバネ、１０…ラッチ用支持枠、１１…切欠部、１５…駆動源、１７…作動杆、１８…バネ、２０，２０Ａ…制御部材、２１…後端部、２２…枢支部、２３…先端部、２６…枢支軸、２７…横軸、３０…係合部材、３１…垂直壁、３２…軸孔、３４…係止部、３５…被係合部、３６…ローラ、３８…支軸、３９…付勢バネ。
【図１】
0004409128.tif 000002
【図２】
0004409128.tif 000003
【図３】
0004409128.tif 000004
【図４】
0004409128.tif 000005
【図５】
0004409128.tif 000006
【図６】
0004409128.tif 000007
【図７】
0004409128.tif 000008
【図８】
0004409128.tif 000009